(57)【要約】【課題】結露の発生を抑制することができる光源ユニットおよび照明器具を提供する。【解決手段】光源ユニット２は、光源モジュール４と、電源装置５と、取付部材３と、カバー６と、樹脂塊８とを備える。取付部材３は、長尺に形成され、第１面３１１と、第１面３１１と反対の面である第２面３１２とを有する。第１面３１１には、光源モジュール４が取り付けられる。第２面３１２には、電源装置５が取り付けられる。樹脂塊８は、絶縁性を有する樹脂材によって形成され、取付部材３の第２面３１２と対向するように配置されている。照明器具１は、光源ユニット２と、光源ユニット２が取り付けられる器具本体９とを備える。【選択図】図２
2017152263.tif 000002
【特許請求の範囲】
【請求項１】
光源と、電源装置と、取付部材と、カバーと、樹脂塊とを備え、
前記電源装置は、点灯電力を前記光源に供給し、
前記取付部材は、長尺の板状に形成され、第１面と、前記第１面と反対の面である第２面とを有し、
前記第１面には、前記光源が取り付けられ、
前記第２面には、前記電源装置が取り付けられ、
前記樹脂塊は、絶縁性を有する樹脂材によって形成され、前記取付部材の前記第２面と対向するように配置され、
前記カバーは、長尺に形成された底壁と、前記底壁の短手方向の両端から一方向に突出し、長尺板状に形成された一対の側壁とを備え、前記底壁の長手方向が前記取付部材の長手方向と同じ方向になるように、かつ前記底壁が前記光源と対向するようにして、前記光源、前記電源装置、前記取付部材、および前記樹脂塊を収容している
ことを特徴とする光源ユニット。
【請求項２】
前記樹脂塊は、発泡樹脂材によって形成されている
ことを特徴とする請求項１に記載の光源ユニット。
【請求項３】
一対のエンドカバーをさらに備え、
前記カバーは、天板をさらに備え、前記天板が前記カバーの底壁と対向するように配置された長尺の筒状に形成され、
前記取付部材は、前記取付部材の第２面が前記天板と対向するように、前記カバーの内部に収容され、
前記樹脂塊は、前記取付部材の前記第２面と前記天板との間に配置され、
前記一対のエンドカバーのそれぞれは、前記カバーの長手方向の両端に取り付けられている
ことを特徴とする請求項１または２に記載の光源ユニット。
【請求項４】
前記電源装置は、前記取付部材の長手方向の中心に対して、前記取付部材の長手方向の一端側に偏って配置され、
前記取付部材の長手方向の他端側に１つの前記樹脂塊が配置されている
ことを特徴とする請求項１〜３の何れか一項に記載の光源ユニット。
【請求項５】
前記電源装置は、電線を介して前記点灯電力を前記光源に供給し、
前記取付部材の長手方向において、
前記電源装置の一端側から電線が導出され、前記電源装置の他端側が前記樹脂塊に対向している
ことを特徴とする請求項４に記載の光源ユニット。
【請求項６】
前記樹脂塊は、帯電防止性を有する材料によって形成される
ことを特徴とする請求項１〜５の何れか一項に記載の光源ユニット。
【請求項７】
前記樹脂塊は、静電気拡散性を有する材料によって形成される
ことを特徴とする請求項１〜５の何れか一項に記載の光源ユニット。
【請求項８】
前記カバーの前記底壁が光を拡散するように構成される
ことを特徴とする請求項１〜７の何れか一項に記載の光源ユニット。
【請求項９】
請求項１〜８の何れか一項に記載の光源ユニットと、前記光源ユニットが取り付けられる器具本体とを備える
ことを特徴とする照明器具。
【発明の詳細な説明】
【技術分野】
【０００１】
本発明は、光源ユニットおよび照明器具に関する。より詳細には、長尺に形成される光源ユニット、および当該光源ユニットを備える照明器具に関する。
【背景技術】
【０００２】
従来例として、特許文献１に記載の照明装置を例示する。特許文献１に記載の照明装置は、複数の白色ＬＥＤ（Light Emitting Diode）が実装された光源モジュールと、光源モジュールを覆うドーム状の透光部と、光源モジュールが発する熱を放熱するための放熱部と、光源モジュールを駆動するための駆動回路部とを備える。照明装置は、外部電源に接続される円筒状の口金部と、口金部および放熱部の間に介在する絶縁部とをさらに備える。
【０００３】
放熱部は、一面の中央部に光源モジュールがねじ止めされる円板状の放熱板を備える。放熱板の他面の中央部には、放熱フィンを固定する固定筒が突設されている。固定筒の内側は、駆動回路部の駆動回路部品の一部を収容する収容部として空洞が形成されている。
【０００４】
透光部は、光源モジュールを覆って保護するとともに、光源モジュールからの光を透光させる。透光部は、縁が放熱板の鍔部と当接した状態で、放熱板に固着されている。
【０００５】
絶縁部は、放熱部を保持する放熱部保持筒を備える。絶縁部は、放熱部保持筒が放熱部の固定筒の内側に挿入された状態で放熱部に固定されている。
【０００６】
放熱部と絶縁部とにより、駆動回路部を収容するための密封された空洞（収容部）が形成される。したがって、照明装置は、外部から埃や塵等が空洞に入り込まないので、埃や塵が駆動回路部に接触することで発生する引火または故障などを防ぐことができる。
【先行技術文献】
【特許文献】
【０００７】
【特許文献１】特開２００９−４１３０号公報
【発明の概要】
【発明が解決しようとする課題】
【０００８】
ところで、特許文献１記載の照明装置では、駆動回路部品を実装している駆動回路部が密閉された空間に収容されている。この場合、収容部が一旦密封されてしまうと、収容部の空気の出入りができなくなる。つまり、湿度が高い環境下で収容部が密封された場合、設置場所の気温が低くなると、収容部に結露が発生し易くなる。
【０００９】
本発明は、上記事由に鑑みてなされており、結露の発生を抑制することができる光源ユニットおよび照明器具を提供することを目的とする。
【課題を解決するための手段】
【００１０】
本発明の光源ユニットは、光源と、電源装置と、取付部材と、カバーと、樹脂塊とを備える。前記電源装置は、点灯電力を前記光源に供給する。前記取付部材は、長尺の板状に形成され、第１面と、前記第１面と反対の面である第２面とを有する。前記第１面には、前記光源が取り付けられる。前記第２面には、前記電源装置が取り付けられる。前記樹脂塊は、絶縁性を有する樹脂材によって形成され、前記取付部材の前記第２面と対向するように配置される。前記カバーは、長尺に形成された底壁と、前記底壁の短手方向の両端から一方向に突出し、長尺板状に形成された一対の側壁とを備える。前記カバーは、前記底壁の長手方向が前記取付部材の長手方向と同じ方向になるように、かつ前記底壁が前記光源と対向するようにして、前記光源、前記電源装置、前記取付部材、および前記樹脂塊を収容していることを特徴とする。
【００１１】
本発明の照明器具は、上述の光源ユニットと、前記光源ユニットが取り付けられる器具本体とを備えることを特徴とする。
【発明の効果】
【００１２】
本発明の光源ユニットおよび照明器具は、結露の発生を抑制することができるという効果がある。
【図面の簡単な説明】
【００１３】
【図１】本発明の実施形態に係る光源ユニットおよび照明器具を示す斜視図である。
【図２】同上の光源ユニットおよび照明器具を示す分解斜視図である。
【図３】同上の光源ユニットを示す断面図である。
【図４】同上の別の例の光源ユニットを示す断面図である。
【図５】同上の変形例１の光源ユニットを示す断面図である。
【図６】同上の変形例２の光源ユニットを示す断面図である。
【発明を実施するための形態】
【００１４】
以下、本発明の実施形態に係る光源ユニットおよび照明器具について、図面を参照して詳細に説明する。
【００１５】
本実施形態の光源ユニット２および照明器具１は、図１〜図３に示すように、複数の固体発光素子、例えば複数のＬＥＤ（Light Emitting Diode）４２を使用し、天井に取り付けられる光源ユニットおよび照明器具である。なお、以下に説明する構成は、本発明の一例に過ぎず、本発明は下記の実施形態に限定されることはなく、この実施形態以外であっても、本発明にかかる技術的思想を逸脱しない範囲であれば、設計等に応じて種々の変更が可能である。
【００１６】
本実施形態の照明器具１は、図１に示すように、光源ユニット２と、光源ユニット２を収容する器具本体９とを備える。
【００１７】
光源ユニット２は、図２に示すように、取付部材３と、光源モジュール（光源）４と、電源装置５と、カバー６と、エンドカバー７と、樹脂塊８とを備える。
【００１８】
取付部材３は、長尺な板金に曲げ加工を施すことで、長手方向から見てＵ字形状に形成される。取付部材３は、取付板３１と、一対の側板３２とを有する。取付板３１は、第１面３１１と、第１面３１１と反対の面である第２面３１２とを有する。一対の側板３２は、第２面３１２の短手方向における両端から延出するように形成される。取付部材３の長手方向の一端を第１端３３１とし、第１端の反対の端を第２端３３２とする。
【００１９】
光源モジュール４は、長尺板状に形成されたプリント配線板４１と、プリント配線板４１の実装面４１１に長手方向に沿って実装される複数のＬＥＤ４２とを備える。プリント配線板４１の一端付近には、電線５３（図３参照）を介して電源装置５から点灯電力が供給されるコネクタが実装されている。光源モジュール４は、プリント配線板４１の実装面４１１と反対の面である取付面４１２が取付部材３の第１面３１１と対向するように、取付部材３に、例えばねじ止めされるなどして、取り付けられる。
【００２０】
電源装置５は、電源回路５１と、電源回路５１を収容するケース５２とを有する。電源回路５１は、長尺の矩形板状に形成されたプリント配線板５１１と、プリント配線板５１１に実装された複数の回路部品５１２とで構成されている。電源回路５１は、電源ケーブル１１が電気的に接続されている。電源回路５１には、電源ケーブル１１を介して外部からの電力が供給される。電源回路５１は、当該電力を複数のＬＥＤ４２を点灯させるための直流の点灯電力に変換し、電線５３を介して点灯電力を複数のＬＥＤ４２に供給するように構成されている。なお、電源回路５１は、少なくとも複数のＬＥＤ４２の点灯電力を生成するための回路部品５１２（例えば、トランジスタ、ダイオード、コンデンサ）などで構成されている。ケース５２は、一部が開口する長尺な矩形箱状に形成される。電源回路５１は、当該開口で複数の回路部品５１２が露出するようにケース５２に収容される。
【００２１】
電源装置５は、図３に示すように、ケース５２の開口が取付部材３の第２面３１２と対向するように、かつ、長手方向が取付部材３の長手方向と同じ方向になるように、ねじなどを用いて取付部材３に取り付けられる。電源装置５は、第１端３３１付近に、ケース５２の長手方向の一端が配設されるように取付部材３に取り付けられる。また、電源装置５は、取付部材３の長手方向の中央Ａ０と第１端３３１との間に配設される（図３参照）。言い換えると、光源ユニット２の長手方向の中心Ａ０と電源装置５の一端を示す地点Ａ１との長さＬ１が、中心Ａ０と電源装置５の他端を示す地点Ａ２との距離Ｌ２と比較して長くなるように、電源装置５は取付部材３に取り付けられる。すなわち、電源装置５は、光源ユニット２の長手方向の中心Ａ０から一方向（第１端３３１側）に偏って取付部材３に取り付けられる。
【００２２】
電源ケーブル１１は、ケース５２の一端側から導出される。また、電線５３は、ケース５２の一端側から導出され、取付板３１の第１端３３１付近に形成される線通孔を通って第２面３１２側から第１面３１１側に引き回される。
【００２３】
カバー６は、図２に示すように、底壁６１と、一対の側壁６２と、天板６３とを有し、長尺の半楕円筒状に形成される。底壁６１は、透光性を有する合成樹脂材料、例えばアクリル樹脂、によって、長尺に形成され、短手方向の両端から中央に向かうにつれて一方向に突出量が大きくなるように、凸形状に形成されている。一対の側壁６２のそれぞれは、例えばアクリル樹脂によって、長尺の矩形板状に形成され。底壁６１の短手方向の両端から、一方向と反対方向に向かって互いに向かい合うように底壁６１と一体に形成されている。天板６３は、長尺の矩形板状に形成され、短手方向の両端のそれぞれが一対の側壁６２のそれぞれの長手方向の一辺に沿うように、かつ底壁６１と向かい合うように形成されている。
【００２４】
一対のエンドカバー７のそれぞれは、図２および図３に示すように、透光性を有する材料、例えば、アクリル樹脂によって、半楕円の板状に形成され、カバー６の長手方向の両端に取り付けられる。一対のエンドカバー７の一つには、電源ケーブル１１が通る線通孔が設けられている。
【００２５】
カバー６とエンドカバー７とで囲まれた空間には、図３に示すように、光源モジュール４と電源装置５が取り付けられた取付部材３が収容される。取付部材３は、複数のＬＥＤ４２が底壁６１と対向するようにして、空間に収容されている（図３参照）。なお、カバー６とエンドカバー７で囲まれた空間のうち、取付部材３の第１面３１１側の空間を第１空間６０１とする。また、取付部材３の第２面３１２側の空間を第２空間６０２とする。
【００２６】
ところで、光源ユニット２は、カバー６とエンドカバ−７とで密封構造を形成している。カバー６とエンドカバー７とで密封された空間内の空気は、外部に流出することが困難である。また、外部の空気が、カバー６とエンドカバ−７とで密封された空間内に入り込むことも困難である。
【００２７】
樹脂塊８は、帯電防止性を有する材料、例えば、発泡ポリエチレン樹脂材などによって、直方体に形成されている。帯電防止性は、帯電を抑制することができる程度の導電性を有し、表面抵抗率１０の９乗Ω／ｓｑ．から１０の１２乗Ω／ｓｑ．の特性を有することが好ましい。樹脂塊８は、長手方向が取付部材３の長手方向と同じ方向になるように、かつ電源装置５と隣り合うように取付部材３の第２面３１２上に配設される。言い換えると、１つの樹脂塊８は、電源装置５と第２端３３２との間に配設されている。
【００２８】
ここで、光源ユニット２の組み立て方を説明する。なお、以下に説明する組み立て方の順番および方法は一例であって、これに限定されるものでない。
【００２９】
まず、光源モジュール４は取付部材３の第１面３１１に取り付けられる。次に、電源装置５は、取付部材３の第２面３１２に取り付けられる。このとき、電線５３は、取付部材３の取付板３１の線通孔に通され、光源モジュール４のコネクタに接続される。そして、取付部材３は、カバー６の内部にカバー６の一端から挿入される。このとき、カバー６の一端側に、取付部材３の第１端３３１が配設されるように、取付部材３がカバー６に収容される。エンドカバー７のうち線通孔が設けられたエンドカバー７は、カバー６の一端に取り付けられる。そして、樹脂塊８は、カバー６の他端から挿入される。最後に、線通孔が設けられていないエンドカバー７は、カバー６の他端に取り付けられる。
【００３０】
このとき、電線５３は、第２空間６０２から、取付板３１の線通孔を通って、第１空間６０１に引き回される。また、電源ケーブル１１は、第２空間６０２からエンドカバー７の線通孔を通ってカバーの外側に導出される。このように、電線５３および電源ケーブル１１は、樹脂塊８と接触することがないので、樹脂塊８によるコネクタ外れや、断線などが防止できる。
【００３１】
本実施形態の光源ユニット２および照明器具１では、第２空間６０２の大部分は、電源装置５と１つの樹脂塊８とで占められている。１つの樹脂塊８がカバー６の内部に配設されることで、カバー６内に閉じ込められた空気が少なくなる。空気には、水蒸気が含まれている。したがって、カバー６内に閉じ込められた水蒸気の量は少なくなる。ゆえに、光源ユニット２および照明器具１は、光源ユニット２および照明器具１の周囲温度が生産時より低くなったとしても、カバー６内に発生する結露を抑制することができる。
【００３２】
また、樹脂塊８が帯電防止性の材料によって形成されていることで、樹脂塊８がカバー６内に挿入されるとき、光源ユニット２および照明器具１は、樹脂塊８とカバー６との摩擦で発生する静電気を抑制することができる。静電気を抑制することができると、光源ユニット２および照明器具１は、静電気による不具合などを抑制することができる。
【００３３】
また、本実施形態の光源ユニット２および照明器具１では、電源装置５が光源ユニット２の長手方向の中心Ａ０から一方に偏って取付部材３に取り付けられることで、１つの樹脂塊８がカバー６の第２空間６０２に配設される。一方、電源装置５が光源ユニット２の中央Ａ０付近で、取付部材３に取り付けられると、２つの樹脂塊が必要となり、１つのときと比較して、施工工数および部品点数が増えてしまう。
【００３４】
なお、樹脂塊８は、静電気拡散性を有する材料によって形成されてもよい。この場合、静電気拡散性は、帯電を緩やかに消散することができる程度の導電性を有し、表面抵抗率１０の５乗Ω／ｓｑ．から１０の９乗Ω／ｓｑ．程度の特性を有することが好ましい。また、樹脂塊８は、発泡ポリエチレン樹脂材だけでなく、例えばウレタン樹脂、発泡ポリプロピレン樹脂によって形成されてもよい。さらに、樹脂塊８は、成型品である必要はなく、液状の発泡樹脂をカバー６の内部に充填して硬化させてもよい。
【００３５】
また、樹脂塊８は、２つ以上の異なる材料によって形成されてもよい。例えば、樹脂塊８は、図４に示すように、帯電防止特性を有する樹脂８ａと絶縁特性を有する樹脂８ｂとで形成されてもよい。樹脂８ｂは、樹脂８ａと比較して表面抵抗率の高い絶縁特性（表面抵抗率１０の１３乗Ω／ｓｑ．以上）を有する。樹脂塊８は、樹脂８ｂを樹脂８ａが覆うようにして形成されている。樹脂塊８がこのように形成されると、帯電防止特性を有する樹脂８ａの使用量を減らすことができ、コストを削減することが可能である。
【００３６】
本実施形態の照明器具１の器具本体９は、天井材に取り付けられるように構成され、板金に曲げ加工を施すことで長尺かつ一面が開口する扁平な箱状に形成される。光源ユニット２は、図１に示すように、天板６３が器具本体９の底面（取付板）９１と対向し、かつカバー６の底壁６１が露出するように、器具本体９に取り付けられる。
【００３７】
なお、器具本体９は、箱型の形状に限定されず、板状に形成されてもよい。また、カバー６は、天板６３を有していなくてもよい。ただし、この場合、光源ユニット２は、器具本体９によって、取付部材３の第１空間６０１および第２空間６０２を密封するように、器具本体９に取り付けられる。
【００３８】
また、光源モジュール４は、本実施形態のような複数のＬＥＤ４２を用いた光源モジュールに限定されない。光源モジュールは、複数のＬＥＤ４２の代わりに、蛍光灯などを用いた光源モジュールでもよい。また、器具本体９は、天井材以外の場所、例えば壁、に取り付けられてもよい。
【００３９】
次に、本実施形態の光源ユニット２の変形例１について図５を参照して説明する。電源ケーブル１１は、図５に示すように、樹脂塊８と対向するケース５２の側面から導出されてもよい。この場合、外部電源から供給される電源ケーブル１１は、エンドカバー７から挿通され、ケース５２の側面に沿って第２空間６０２で引き回される。
【００４０】
次に、本実施形態の光源ユニット２の変形例２について図６を参照して説明する。電線５３は、図６に示すように、樹脂塊８と対向するケース５２の側面から導出されてもよい。この場合、電線５３は、ケース５２の側面に沿って第２空間６０２で引き回され、取付板３１の線通孔を通って、第１空間６０１に引き回される。
【００４１】
本実施形態の光源ユニット２は、光源モジュール（光源）４と、電源装置５と、取付部材３と、カバー６と、樹脂塊８とを備える。電源装置５は、点灯電力を光源モジュール４に供給する。取付部材３は、長尺の板状に形成され、第１面３１１と、第１面３１１と反対の面である第２面３１２とを有する。第１面３１１には、光源モジュール４が取り付けられる。第２面３１２には、電源装置５が取り付けられる。樹脂塊８は、絶縁性を有する樹脂材によって形成され、取付部材３の第２面３１２と対向するように配置されている。カバー６は、長尺に形成された底壁６１と、底壁６１の短手方向の両端から一方向に突出し、長尺板状に形成された一対の側壁６２とを備える。底壁６１の長手方向が取付部材３の長手方向と同じ方向になるように、かつ底壁６１が光源モジュール４と対向するようにして、光源モジュール４、電源装置５、取付部材３、および樹脂塊８を収容している。
【００４２】
本実施形態の光源ユニット２が上述のように構成されるので、結露の発生を抑制することができる。
【００４３】
本実施形態の光源ユニット２において、樹脂塊８は、発泡樹脂材によって形成されていることが好ましい。
【００４４】
本実施形態の光源ユニット２が上述のように構成されると、光源ユニット２を軽量化でき、取り付け作業が容易になる。
【００４５】
本実施形態の光源ユニット２は、一対のエンドカバー７をさらに備えることが好ましい。カバー６は、天板６３をさらに備えることが好ましい。天板６３がカバー６の底壁６１と対向するように配置された長尺の筒状に形成されることが好ましい。取付部材３は、取付部材３の第２面３１２が天板６３と対向するように、カバー６の内部に収容されることが好ましい。樹脂塊８は、取付部材３の第２面３１２と天板６３との間に配置されていることが好ましい。一対のエンドカバー７のそれぞれは、カバー６の長手方向の両端に取り付けられていることが好ましい。
【００４６】
本実施形態の光源ユニット２が上述のように構成されると、光源ユニット２を密閉構造とすることができる。
【００４７】
本実施形態の光源ユニット２において、電源装置５は、取付部材３の長手方向の中心に対して、取付部材３の長手方向の一端側に偏って配置されることが好ましい。取付部材３の長手方向の他端側に１つの樹脂塊８が配置されていることが好ましい。
【００４８】
本実施形態の光源ユニット２が上述のように構成されると、カバー６の内部に１つの樹脂塊８を配置するだけで、第２空間６０２（第２面３１２側の空間）に存在する空気の量を減らすことができる。したがって、光源ユニット２は、少ない部品点数で構成され、施工工数を削減することができる。
【００４９】
本実施形態の光源ユニット２において、電源装置５は、電線５３を介して点灯電力を光源モジュール４に供給することが好ましい。取付部材３の長手方向において、電源装置５の一端側から電線５３が導出されることが好ましい。取付部材３の長手方向において、電源装置５の他端側が樹脂塊８に対向していることが好ましい。
【００５０】
本実施形態の光源ユニット２が上述のように構成されると、樹脂塊８による配線コネクタ外れや、断線を抑制することができる。
【００５１】
本実施形態の光源ユニット２において、樹脂塊８は、帯電防止性を有する材料によって形成されることが好ましい。
【００５２】
本実施形態の光源ユニット２が上述のように構成されると、静電気によるＬＥＤ４２の不具合などを抑制することができる。
【００５３】
本実施形態の光源ユニット２において、樹脂塊８は、静電気拡散性を有する材料によって形成されることが好ましい。
【００５４】
本実施形態の光源ユニット２が上述のように構成されると、静電気によるＬＥＤ４２の不具合などを抑制することができる。
【００５５】
本実施形態の光源ユニット２において、カバー６の底壁６１が光を拡散するように構成されることが好ましい。
【００５６】
本実施形態の光源ユニット２が上述のように構成されると、光源モジュール４からの光が効率良く照射される。
【００５７】
本実施形態の照明器具１は、光源ユニット２と、光源ユニット２が取り付けられる器具本体９とを備える。
【００５８】
本実施形態の照明器具１が上述のように構成されるので、結露の発生を抑制することができる。
【符号の説明】
【００５９】
１  照明器具
２  光源ユニット
３  取付部材
３１１  第１面
３１２  第２面
３３１  第１端
３３２  第２端
４  光源モジュール（光源）
５  電源装置
５２  ケース
５３  電線
６  カバー
６１  底壁
６２  側壁
６３  天板
７  エンドカバー
８  樹脂塊
９  器具本体
【図１】
2017152263.tif 000003
【図２】
2017152263.tif 000004
【図３】
2017152263.tif 000005
【図４】
2017152263.tif 000006
【図５】
2017152263.tif 000007
【図６】
2017152263.tif 000008